(57)【要約】【課題】オペレータや所有者が作業機に対してメンテナンスを行ったときのセルフメンテナンスの記録をサーバ側に登録することができる構成を提示する。【解決手段】作業機は、位置情報、日時情報および予め定めた所定の稼動情報を固有の識別情報と共に遠隔サーバに送信する。作業機には、所定の稼動情報に基づいて遠隔サーバが抽出した当該作業機に対するメンテナンス項目を示すメンテナンス項目情報を受信する手段と、受信したメンテナンス項目情報を表示する手段と、表示したメンテナンス項目情報、メンテナンス項目情報のメンテナンス項目に対して対策したことを示す対策済情報、および、メンテナンス項目のメンテナンスを行った日時を示すメンテナンス日時情報を固有の識別情報と共に遠隔サーバに送信する手段とが設けられている。【選択図】図１４
2016076122.tif 000002
【特許請求の範囲】
【請求項１】
位置情報、日時情報および予め定めた所定の稼動情報を固有の識別情報と共に遠隔サーバに送信する作業機であって、
前記所定の稼動情報に基づいて前記遠隔サーバが抽出した当該作業機に対するメンテナンス項目を示すメンテナンス項目情報を受信する手段と、受信した前記メンテナンス項目情報を表示する手段と、表示した前記メンテナンス項目情報、前記メンテナンス項目情報の前記メンテナンス項目に対して対策したことを示す対策済情報、および、前記メンテナンス項目の前記メンテナンスを行った日時を示すメンテナンス日時情報を前記固有の識別情報と共に前記遠隔サーバに送信する手段とを設けたことを特徴とする作業機。
【請求項２】
位置情報、日時情報および予め定めた所定の稼動情報を固有の識別情報と共に遠隔サーバに送信する作業機であって、
当該作業機に対するメンテナンス項目を示すメンテナンス項目情報を格納する手段と、格納した前記メンテナンス項目情報を前記所定の稼動情報に基づいて抽出する手段と、抽出した前記メンテナンス項目情報を表示する手段と、表示した前記メンテナンス項目情報の表示と連動して、前記メンテナンス項目情報、前記メンテナンス項目情報の前記メンテナンス項目に対して対策したことを示す対策済情報、および、前記メンテナンス項目の前記メンテナンスを行った日時を示すメンテナンス日時情報を前記固有の識別情報と共に前記遠隔サーバに送信する手段とを設けたことを特徴とする作業機。
【発明の詳細な説明】
【技術分野】
【０００１】
本発明は、所定の稼動情報を遠隔サーバに送信する農業機械等の作業機に関する。
【背景技術】
【０００２】
所定の稼動情報を遠隔サーバに送信する農業機械等の作業機として、例えば、特許文献１は、サービス員が作業機に対してメンテナンスを行ったときのメンテナンス（サービスメンテナンス）の記録を、コンピュータを介してサポートセンターに設けられたサポートコンピュータに登録する構成を開示している。
【先行技術文献】
【特許文献】
【０００３】
【特許文献１】特開２０００−２５９７２９号公報
【発明の概要】
【発明が解決しようとする課題】
【０００４】
しかしながら、特許文献１は、オペレータや所有者が作業機に対してメンテナンスを行ったときのメンテナンス（セルフメンテナンス）の記録をサーバ側に登録する構成を開示していない。
【０００５】
そこで、本発明は、オペレータや所有者が作業機に対してメンテナンスを行ったときのセルフメンテナンスの記録をサーバ側に登録することができる構成を提示することを目的とする。
【課題を解決するための手段】
【０００６】
本発明は、前記課題を解決するために、次の第１態様および第２態様の作業機を提供する。
【０００７】
（１）第１態様の作業機
位置情報、日時情報および予め定めた所定の稼動情報を固有の識別情報と共に遠隔サーバに送信する作業機であって、前記所定の稼動情報に基づいて前記遠隔サーバが抽出した当該作業機に対するメンテナンス項目を示すメンテナンス項目情報を受信する手段と、受信した前記メンテナンス項目情報を表示する手段と、表示した前記メンテナンス項目情報、前記メンテナンス項目情報の前記メンテナンス項目に対して対策したことを示す対策済情報、および、前記メンテナンス項目の前記メンテナンスを行った日時を示すメンテナンス日時情報を前記固有の識別情報と共に前記遠隔サーバに送信する手段とを設けたことを特徴とする作業機。
【０００８】
（２）第２態様の作業機
位置情報、日時情報および予め定めた所定の稼動情報を固有の識別情報と共に遠隔サーバに送信する作業機であって、当該作業機に対するメンテナンス項目を示すメンテナンス項目情報を格納する手段と、格納した前記メンテナンス項目情報を前記所定の稼動情報に基づいて抽出する手段と、抽出した前記メンテナンス項目情報を表示する手段と、表示した前記メンテナンス項目情報の表示と連動して、前記メンテナンス項目情報、前記メンテナンス項目情報の前記メンテナンス項目に対して対策したことを示す対策済情報、および、前記メンテナンス項目の前記メンテナンスを行った日時を示すメンテナンス日時情報を前記固有の識別情報と共に前記遠隔サーバに送信する手段とを設けたことを特徴とする作業機。
【発明の効果】
【０００９】
本発明によると、オペレータや所有者が作業機に対してメンテナンスを行ったときのセルフメンテナンスの記録をサーバ側に登録することが可能となる。
【図面の簡単な説明】
【００１０】
【図１】農業機械を遠隔監視する遠隔監視システムにおいてアクセスポイントを介さない通信構成の一例を模式的に示す概略構成図である。
【図２】農業機械を遠隔監視する遠隔監視システムにおいてアクセスポイントを介した通信構成の一例を模式的に示す概略構成図である。
【図３】遠隔監視端末装置を備えた農業機械の概略構成を示すブロック図である。
【図４】農業機械における遠隔監視端末装置の概略構成を示すブロック図である。
【図５】遠隔監視センターに設けられた遠隔サーバにおける制御部の概略構成を示すブロック図である。
【図６】第１格納テーブルのデータ例を模式的に示すデータ構造図である。
【図７】第２格納テーブルのデータ例を模式的に示すデータ構造図である。
【図８】第３格納テーブルのデータ例を模式的に示すデータ構造図である。
【図９】第４格納テーブルのデータ例を模式的に示すデータ構造図である。
【図１０】第５格納テーブルのデータ例を模式的に示すデータ構造図である。
【図１１】第６格納テーブルのデータ例を模式的に示すデータ構造図である。
【図１２】第７格納テーブルのデータ例を模式的に示すデータ構造図である。
【図１３】メンテナンス項目情報に対して基準メンテナンス間隔を設定する設定画面の一例を説明するための説明図であって、メンテナンス項目情報に対して基準メンテナンス間隔を入力する入力画面を示す図である。
【図１４】農業機械に設けられた操作パネルを正面から視た状態を示す概念図である。
【図１５】第１実施形態に係る遠隔監視端末装置による制御動作の一例を示すフローチャートである。
【図１６】機械識別情報およびメンテナンス項目情報別に、メンテナンス日時情報、メンテナンス時の累計経過時間およびメンテナンス時の積算時間を登録するメンテナンス情報データベースの一例のデータ構造を示す模式図である。
【図１７】第２実施形態に係る遠隔監視端末装置の概略構成を示すブロック図である。
【図１８】遠隔サーバにおけるメンテナンス情報を固定端末機および／または携帯端末機に表示した状態を示す概念図である。
【図１９】遠隔サーバにおけるメンテナンス情報を共有する状態を示す概念図である。
【発明を実施するための形態】
【００１１】
以下、本発明の実施の形態について作業機としてコンバイン、耕耘機や田植機等の農業機械を例にとって添付図面を参照しつつ説明する。
【００１２】
［遠隔監視システムの全体構成について］
図１は、農業機械１１０，…を遠隔監視する遠隔監視システム１００においてアクセスポイントを介さない通信構成の一例を模式的に示す概略構成図である。図２は、農業機械１１０，…を遠隔監視する遠隔監視システム１００においてアクセスポイントを介した通信構成の一例を模式的に示す概略構成図である。図３は、遠隔監視端末装置２００を備えた農業機械１１０，…の概略構成を示すブロック図である。また、図４は、農業機械１１０における遠隔監視端末装置２００の概略構成を示すブロック図である。
【００１３】
図１および図２に示すように、遠隔監視システム１００は、１つまたは複数（ここでは複数）の農業機械（作業機の一例）１１０，…と、農業機械１１０，…にそれぞれ設けられた遠隔監視端末装置２００と、遠隔監視端末装置２００に通信網１４０を介して接続される遠隔サーバ１３０とを備えている。
【００１４】
遠隔サーバ１３０は、農業機械１１０，…に対して遠く離れた位置にある遠隔監視センター１２０に配置されており、農業機械１１０の稼動状態に関するデータである予め定めた所定の稼動情報（稼動データ）を収集して蓄積するようになっている。そして、遠隔サーバ１３０は、ＬＡＮ（Local Area Network）やインターネット等のネットワーク１５０を介してパーソナルコンピュータ等の固定端末機（具体的にはクライアントコンピュータ）１６０，…、或いは／さらに、多機能携帯電話機（所謂スマートフォン）やタブレット携帯端末機等の携帯端末機（具体的にはクライアントコンピュータ）１７０，…に接続され、蓄積したデータが固定端末機１６０，…或いは／さらに携帯端末機１７０，…に取り込まれることで、農業機械１１０のユーザやディーラ等の等の利用者によって利用されるようになっている。固定端末機１６０および携帯端末機１７０は、制御部１６１，１７１および表示部１６２，１７２を備えている。制御部１６１，１７１は、遠隔サーバ１３０から送られてきたデータに基づいた表示情報や、各種の入力画面を表示部１６２，１７２に表示したり、利用者により入力された必要な情報を受け付けたりするようになっている。
【００１５】
遠隔監視端末装置２００および遠隔サーバ１３０は、それぞれ、通信部２１０，１３１（具体的には通信モジュール）を有し、通信網１４０を介して互いの通信部２１０，１３１で接続されることで、遠隔監視端末装置２００と遠隔サーバ１３０との間で情報の送受信を行うことが可能とされている。これにより、遠隔サーバ１３０は、遠隔監視センター１２０で利用者により農業機械１１０，…を遠隔監視できるようになっている。
【００１６】
なお、通信網１４０は、有線通信網でもよいし、無線通信網でもよく、有線通信網および無線通信網を組み合わせたものであってもよい。
【００１７】
遠隔サーバ１３０と遠隔監視端末装置２００とが互いに通信する通信構成としては、アクセスポイントを介さない通信構成（図１参照）と、アクセスポイント（この例では携帯端末機１７０）を介した通信構成（図２参照）とを例示できる。
【００１８】
アクセスポイントを介さない図１に示す通信構成では、通信網１４０として、代表的には、電気通信事業者が提供する公衆回線網であって、固定電話機や携帯電話機等の端末機同士を通信させる公衆回線網を挙げることができる。
【００１９】
アクセスポイント（この例では携帯端末機１７０）を介した図２に示す通信構成では、通信網１４０として、代表的には、公衆回線網を介したインターネットを挙げることができる。この場合、遠隔監視端末装置２００における通信部２１０は、アクセスポイントを介してインターネットにアクセス可能な携帯端末機１７０に対してＷｉＦｉ（登録商標）規格に代表されるＩＥＥＥ８０２．１１規格の無線ＬＡＮ通信等の短距離無線通信を介した通信（所謂、携帯端末機１７０のテザリング機能を用いた通信）を行うことができる。
【００２０】
図３に示すように、農業機械１１０，…は、１つまたは複数（ここでは複数）の作業部１１１，…と、遠隔監視端末装置２００とを備えている。ここで、作業部１１１，…としては、例えば、農業機械がコンバインである場合には、走行作業部、刈り取り作業部、脱穀作業部等を挙げることができる。
【００２１】
各作業部１１１，…には、電子制御装置（具体的にはコントローラ）１１３，…が設けられている。電子制御装置１１３，…は、各種アクチュエータ（図示せず）に対して指令し、各作業部１１１，…への運転状態を適切に制御する。各電子制御装置１１３，…は、ＣＡＮ（Controller Area Network）規格に基づいて互いにデータ転送されるようになっている。
【００２２】
詳しくは、各電子制御装置１１３，…は、各作業部１１１，…での各種センサにて検出した検出値情報（信号）および各種スイッチのオン・オフ情報に基づいて各作業部１１１，…への運転状態を作動制御する。また、各電子制御装置１１３，…は、農業機械１１０の故障や動作不良等の異常が発生したか否かの異常発生の有無を適宜判断し、異常が発生した場合には、該異常に応じたエラー情報（具体的にはエラーコード）を生成する。
【００２３】
作業部１１１，…のうちのエンジン１１２を作動させる作業部（走行作業部１１１ａ）は、エンジン１１２と、エンジン１１２の回転数や負荷状態などを監視し、最適な噴射圧力や噴射時期を燃料システムに指示してエンジン全体を制御する電子制御装置１１３（エンジンコントローラ１１３ａ）と、発電機１１４と、起動スイッチＳＷとを備えており、バッテリーＢＴが搭載されている。そして、電子制御装置１１３（エンジンコントローラ１１３ａ）は、作業部１１１（走行作業部１１１ａ）の作動制御の他、運転開始／休止の操作や、エンジン１１２の駆動による運転状態の制御が行われるようになっている。
【００２４】
なお、作業部１１１（走行作業部１１１ａ）のエンジン１１２の稼動状態において、発電機１１４から供給される電力によってバッテリーＢＴの充電が適宜行われるようになっている。
【００２５】
作業部１１１（走行作業部１１１ａ）に備えられている起動スイッチＳＷは、電源オン状態と電源オフ状態とを選択的に切り替える切り替えスイッチとされている。ここで、電源オン状態は、バッテリーＢＴから遠隔監視端末装置２００における制御部２４０（図４参照）および電子制御装置１１３（エンジンコントローラ１１３ａ）へ電力を供給する状態とされる。電源オフ状態は、バッテリーＢＴから遠隔監視端末装置２００における制御部２４０および電子制御装置１１３（エンジンコントローラ１１３ａ）への電力供給を遮断する状態とされる。
【００２６】
詳しくは、バッテリーＢＴは、遠隔監視端末装置２００における制御部２４０に接続された電源接続ラインＬ１および電子制御装置１１３（エンジンコントローラ１１３ａ）に接続された電源接続ラインＬ２の双方に起動スイッチＳＷを介して接続されている。
【００２７】
この例では、起動スイッチＳＷは、所謂キースイッチと呼ばれるスイッチであり、「ＯＮ」端子は、電源接続ラインＬ１，Ｌ２の接続端子である。「ＯＦＦ」端子は、起動スイッチＳＷがオフ状態のときの端子である。
【００２８】
なお、起動スイッチＳＷのオン状態およびオフ状態に関わらず、バッテリーＢＴと遠隔監視端末装置２００における電源制御部２２０（図４参照）とが電源接続ラインＬ３を介して接続されている。
【００２９】
［遠隔監視端末装置について］
図４に示すように、遠隔監視端末装置２００は、通信部２１０と、通信時におけるデータの送受信、各種の入出力制御および演算処理の制御を行う制御部２４０と、制御部２４０に電力を供給する電源制御部２２０と、農業機械１１０の稼動状態に関する稼動情報が入力される複数の接続端子Ｔ，…とを備えている。
【００３０】
（通信部）
通信部２１０は、遠隔監視センター１２０（図１および図２参照）における遠隔サーバ１３０の通信部１３１と同一の通信プロトコル（通信規約）で通信可能とされている。通信時に送受信されるデータは、通信プロトコルに従うように通信部２１０で変換される。そして、通信部２１０は、制御部２４０にて取得した農業機械１１０の稼動情報等を遠隔サーバ１３０に送信する。
【００３１】
（電源制御部）
電源制御部２２０は、起動スイッチＳＷのオフ状態およびオン状態に関わらず、バッテリーＢＴに接続されている。具体的には、電源制御部２２０の入力側電源ライン（図示せず）とバッテリーＢＴとが電源接続ラインＬ３によって接続されている。これにより、電源制御部２２０は、バッテリーＢＴからの電力が常時供給されるようになっている。
【００３２】
また、制御部２４０の電源ライン（図示せず）と電源制御部２２０の出力側電源ライン（図示せず）とが電源接続ラインＬ４によって接続されている。
【００３３】
（接続端子）
接続端子Ｔ，…は、積算時間の入力端子を有している。該入力端子は、エンジン１１２等の運転に関与する構成要素の稼動時間（運転時間）を積算した積算時間を計測する積算時間計（アワーメータ）による積算時間を出力する出力要素に接続されて該出力要素からの積算時間が入力される。
【００３４】
（位置検出部）
本実施の形態では、遠隔監視端末装置２００は、ＧＮＳＳ（Global Navigation Satellite System：全地球測位システム）を用いて測位する。この例では、遠隔監視端末装置２００は、ＧＰＳ（Global Positioning System）衛星からの電波を受信するＧＰＳセンサ（位置センサの一例）２３１と、ＧＰＳセンサ２３１にて受信した電波に基づいて農業機械１１０の位置情報等を検出する位置検出部２３２と、位置検出部２３２にて検出した位置情報等の各種データを一時的に格納する情報記憶部２３３とをさらに備えている。
【００３５】
ＧＰＳセンサ２３１は、ＧＰＳ衛星からの電波（世界標準日時を含む情報）を受信するようになっている。ここで、世界標準日時は、協定世界時（ＵＴＣ：Universal Time, Coordinated）を意味する。
【００３６】
位置検出部２３２は、農業機械１１０が位置している現在地の情報の他、農業機械１１０の速度情報を検出したり、農業機械１１０の方位情報を検出したりすることができる。すなわち、位置情報は、農業機械１１０の緯度、経度、速度および方位の情報を含んでいる。
【００３７】
具体的には、位置検出部２３２は、ＧＰＳセンサ２３１およびＧＰＳ衛星と共にＧＰＳ衛星システム（測位システム）を構成している。
【００３８】
情報記憶部２３３は、フラッシュメモリ（flash memory）等の不揮発性メモリを含んでいる。情報記憶部２３３は、電源制御部２２０に接続されており、バッテリーＢＴからの電力が常時供給されるようになっている。
【００３９】
（制御部）
制御部２４０は、ＣＰＵ（Central Processing Unit）等のマイクロコンピュータからなる処理部２５０と、ＲＯＭ（Read Only Memory）等の不揮発性メモリ、ＲＡＭ（Random Access Memory）等の揮発性メモリを含む記憶部２６０と、遠隔監視端末装置２００の日時情報を得るための時計機能を備えた時刻取得タイマー２７０とを備えている。
【００４０】
制御部２４０は、処理部２５０が記憶部２６０のＲＯＭに予め格納された制御プログラムを記憶部２６０のＲＡＭ上にロードして実行することにより、各種構成要素の作動制御を行うようになっている。
【００４１】
そして、制御部２４０は、起動情報を送信する起動情報送信機能として作用する起動情報送信制御部２４１を有している。
【００４２】
制御部２４０は、農業機械１１０が運転されて遠隔監視端末装置２００が起動したときに（具体的には、遠隔監視端末装置２００が農業機械１１０の起動スイッチＳＷのオン操作を受け付けたときに）起動情報を遠隔サーバ１３０（図１および図２参照）に送信する起動情報送信制御部２４１を備えている。ここで、起動情報は、起動時の農業機械１１０の位置情報（具体的には経度、緯度）および日時（具体的には世界標準の西暦、年、月、日、時、分、秒）とされている。なお、位置情報は、農業機械１１０の速度や方位を含んでいてもよい。
【００４３】
情報記憶部２３３には、起動開始情報として農業機械１１０の起動スイッチＳＷのオン操作を受け付けたとき（起動時）の日時（具体的には世界標準の西暦、年、月、日、時、分、秒）および位置情報（緯度、経度）が格納される。また、制御部２４０は、遠隔監視端末装置２００の起動が停止したときに（具体的には、遠隔監視端末装置２００が農業機械１１０の起動スイッチＳＷのオフ操作を受け付けたときに）起動停止情報を遠隔サーバ１３０に送信する。情報記憶部２３３には、起動停止情報として農業機械１１０の起動スイッチＳＷのオフ操作を受け付けたとき（起動停止時）の日時（具体的には世界標準の西暦、年、月、日、時、分、秒）および位置情報（緯度、経度）も格納される。
【００４４】
なお、図４において、符号を付した構成要素のうち説明していない構成要素については、後ほど説明する。
【００４５】
＜第１実施形態について＞
［遠隔サーバ］
図５は、遠隔監視センター１２０に設けられた遠隔サーバ１３０における制御部１３２の概略構成を示すブロック図である。
【００４６】
図５に示すように、遠隔監視センター１２０（図１および図２参照）に設けられた遠隔サーバ１３０は、通信部１３１と、通信時におけるデータの送受信、各種の入出力制御および演算処理の制御を行う制御部１３２と、表示装置を備えた表示部１３５とを備えている。
【００４７】
（通信部）
通信部１３１は、遠隔監視端末装置２００の通信部２１０（図１から図４参照）と同一の通信プロトコル（通信規約）で通信可能とされている。通信時に送受信されるデータは、通信プロトコルに従うように通信部１３１で変換される。通信部１３１は、前述した稼動情報等を受信する。
【００４８】
（制御部）
制御部１３２は、ＣＰＵ（Central Processing Unit）等のマイクロコンピュータからなる処理部１３３と、ＲＯＭ（Read Only Memory）、ＲＡＭ（Random Access Memory）等の揮発性メモリおよびハードディスク装置やフラッシュメモリ等の書き換え可能な不揮発性メモリを含む記憶部１３４とを有している。
【００４９】
制御部１３２は、処理部１３３が記憶部１３４のＲＯＭに予め格納された制御プログラムを記憶部１３４のＲＡＭ上にロードして実行することにより、各種構成要素の作動制御を行うようになっている。
【００５０】
制御部１３２は、遠隔監視端末装置２００が起動したときに、遠隔監視端末装置２００の起動開始日時を遠隔監視端末装置２００から受信し、遠隔監視端末装置２００が起動停止したときに、遠隔監視端末装置２００の起動停止日時を遠隔監視端末装置２００から受信する構成とされている。
【００５１】
制御部１３２は、起動開始日時および起動停止日時に基づいて、起動開始から起動停止までの稼動時間を、予め定めた所定のメンテナンス項目を示すメンテナンス項目情報毎に機械識別情報ＳＤ（例えば端末電話番号や識別番号）単位で算出し、算出した稼動時間の前回メンテナンスから累計した累計経過時間をメンテナンス項目情報毎に機械識別情報ＳＤ単位で算出する算出構成を有している。また、制御部１３２は、メンテナンス項目情報毎に前回のメンテナンスから次回のメンテナンスまでの基準となる基準メンテナンス間隔（時間）を農業機械１１０の種類（例えばトラクターやコンバインなどの型式を示す型式情報）毎に設定する設定構成を有している。ここで、基準メンテナンス間隔は、所定の時期に所定の部品に対して定期的に行う交換や、所定の時期に所定の箇所に対して定期的に行う清掃、調整、グリス注入等の処置の所定の定期メンテナンス間隔である。
【００５２】
詳しくは、制御部１３２は、第１受信制御手段Ｐａ１と、基準メンテナンス間隔設定手段Ｐａ２と、格納制御手段Ｐａ３と、第１演算手段Ｐａ４と、第２演算手段Ｐａ５と、メンテナンス項目情報抽出手段Ｐａ６と、メンテナンス項目情報送信制御手段Ｐａ７とを備える構成とされている。
【００５３】
−受信制御手段−
第１受信制御手段Ｐａ１は、農業機械１１０が運転されて遠隔監視端末装置２００が起動したときに（具体的には、遠隔監視端末装置２００が農業機械１１０の起動スイッチＳＷのオン操作を受け付けたときに）、遠隔監視端末装置２００の起動開始日時を機械識別情報ＳＤ（例えば端末電話番号や識別番号）と共に遠隔監視端末装置２００の通信部２１０から受信する。また、第１受信制御手段Ｐａ１は、農業機械１１０の運転が停止されて遠隔監視端末装置２００が起動停止したときに（具体的には、遠隔監視端末装置２００が農業機械１１０の起動スイッチＳＷのオフ操作を受け付けたときに）、遠隔監視端末装置２００の起動停止日時を機械識別情報ＳＤと共に遠隔監視端末装置２００の通信部２１０から受信する。
【００５４】
なお、図５において、符号を付した構成要素のうち説明していない構成要素については、後ほど説明する。
【００５５】
図６から図１２は、第１格納テーブルＴａ１から第７格納テーブルＴａ７のデータ例を模式的に示すデータ構造図である。第１格納テーブルＴａ１から第７格納テーブルＴａ７は、記憶部１３４に格納されている。
【００５６】
図６に示す第１格納テーブルＴａ１には、利用者の識別番号を示すオーナーＩＤ１３８ａ、契約開始日を示す契約開始日情報１３８ｂ、契約終了日を示す契約終了日情報１３８ｃ、農業機械１１０の型式を示す型式情報１３８ｄ、機番を示す機番情報１３８ｅ、機械識別情報ＳＤ（この例では端末電話番号）が登録される。
【００５７】
図７に示す第２格納テーブルＴａ２には、オーナーＩＤ１３８ａに対して、利用者であるオーナー名／会社名を示すオーナー名／会社名情報１３８ｇ、グループ名を示すグループ名情報１３８ｈ、農業機械１１０に対してメンテナンスを行うメンテナンス担当者を示すメンテナンス担当者情報１３８ｉが登録される。
【００５８】
図８に示す第３格納テーブルＴａ３には、型式情報１３８ｄに対して、カテゴリを示すカテゴリ情報１３８ｊ、商品区分を示す商品区分情報１３８ｋ、シリーズ名を示すシリーズ名情報１３８ｌが登録される。
【００５９】
図９に示す第４格納テーブルＴａ４には、機械識別情報ＳＤ（この例では端末電話番号）に対して、起動した起動日付を示す起動日付情報１３８ｍ、稼動期間を示す稼動期間コード（この例では稼動期間番号１３８ｎ）、起動開始日時を示す起動開始日時情報１３８ｏ、起動停止日時を示す起動停止日時情報１３８ｐ、稼動時間１３８ｑが登録される。なお、図９に示す日時は、世界標準時（日時）から現地日時に換算した日時となっている。
【００６０】
図１０に示す第５格納テーブルＴａ５には、メンテナンス項目名（具体的にはエンジンオイル交換、マフラー点検、冷却ファンベルト調整などの項目）を示すメンテナンス項目名情報１３８ｒ、メンテナンス項目名情報１３８ｒに対応するメンテナンス項目情報１３８ｓ（この例ではＡ０１，Ａ０２などのメンテナンス項目コード）が登録される。
【００６１】
図１１に示す第６格納テーブルＴａ６には、型式情報１３８ｄおよびメンテナンス項目情報１３８ｓに対して、基準メンテナンス間隔１３８ｔ（時間）が登録される。
【００６２】
図１２に示す第７格納テーブルＴａ７には、機械識別情報ＳＤ（この例では端末電話番号）に対して、稼動期間番号１３８ｎ、メンテナンス項目情報１３８ｓ、累計経過時間１３８ｕおよびメンテナンスを行ったか否かを示す実施情報１３８ｖが登録される。なお、第７格納テーブルＴａ７の「実施情報」において、「０」はメンテナンス実施が実施されていないことを意味し、「１」はメンテナンス実施が実施されたことを意味する。
【００６３】
−基準メンテナンス間隔設定手段−
基準メンテナンス間隔設定手段Ｐａ２（図５参照）は、メンテナンス項目情報１３８ｓに対する基準メンテナンス間隔１３８ｔ（図１１参照）を農業機械１１０の種類（具体的には型式情報１３８ｄ）毎に記憶部１３４の第６格納テーブルＴａ６（図１１参照）に格納（設定）する。
【００６４】
図１３は、メンテナンス項目情報１３８ｓに対して基準メンテナンス間隔１３８ｔを設定する設定画面の一例を説明するための説明図であり、メンテナンス項目情報１３８ｓに対して基準メンテナンス間隔１３８ｔ（時間）を入力する入力画面Ｍａを示している。
【００６５】
遠隔サーバ１３０、固定端末機１６０および携帯端末機１７０の少なくとも一つにおいて、利用者によってログインされて型式情報１３８ｄ（例えばＥＦ×××）が入力され、さらに、基準メンテナンス間隔を設定する設定ボタン（図示省略）が選択操作（具体的にはクリック）されると、遠隔サーバ１３０における表示部１３５、固定端末機１６０或いは携帯端末機１７０における表示部１６２，１７２に図１３に示す入力画面Ｍａが表示される。
【００６６】
図１３に示す入力画面Ｍａは、メンテナンス項目入力領域Ｍａ１と基準メンテナンス間隔入力領域Ｍａ２とメンテナンス項目名表示領域Ｍａ３とを含んでいる。
【００６７】
メンテナンス項目入力領域Ｍａ１は、利用者により遠隔サーバ１３０、固定端末機１６０或いは携帯端末機１７０におけるキーボード等の入力操作部（図示せず）から入力されたメンテナンス項目情報１３８ｓを受け付ける。基準メンテナンス間隔入力領域Ｍａ２は、利用者により遠隔サーバ１３０、固定端末機１６０或いは携帯端末機１７０におけるキーボード等の入力操作部（図示せず）から入力された基準メンテナンス間隔１３８ｔを受け付ける。そして、基準メンテナンス間隔設定手段Ｐａ２は、表示ボタンＢＴ１が選択（具体的にはクリック）されると、記憶部１３４の第５格納テーブルＴａ５（図１０参照）からメンテナンス項目入力領域Ｍａ１で受け付けたメンテナンス項目情報１３８ｓ（図示例ではＡ０１，Ａ０２，Ａ０３，…）に対するメンテナンス項目名情報１３８ｒ（図示例ではエンジンオイル交換、マフラー点検、冷却ファンベルト調整、…）を読み出してメンテナンス項目名表示領域Ｍａ３に表示する。また、基準メンテナンス間隔設定手段Ｐａ２は、確定ボタンＢＴ２が選択（具体的にはクリック）されると、メンテナンス項目情報１３８ｓに対する基準メンテナンス間隔入力領域Ｍａ２で受け付けた基準メンテナンス間隔１３８ｔ（図示例では１００、１００、…）を型式情報１３８ｄ（図示例ではＥＦ×××）毎に記憶部１３４の第６格納テーブルＴａ６（図１１参照）に格納する。なお、基準メンテナンス間隔設定手段Ｐａ２は、戻るボタンＢＴ３が選択（具体的にはクリック）されると、前画面に戻るようになっている。
【００６８】
−格納制御手段−
格納制御手段Ｐａ３（図５参照）は、第１受信制御手段Ｐａ１にて受信した起動日付情報１３８ｍ、起動開始日時情報１３８ｏ、起動停止日時情報１３８ｐ（図９参照）を、起動開始から起動停止までの稼動期間（この例では稼動期間番号１３８ｎ）毎に機械識別情報ＳＤ（例えば端末電話番号や識別番号）単位で記憶部１３４の第４格納テーブルＴａ４（図９参照）に格納する。なお、機械識別情報ＳＤ（例えば端末電話番号や識別番号）と、型式情報１３８ｄおよび機番情報１３８ｅを組み合わせた情報とは、一意（１対１：ユニーク）とされているため、機械識別情報ＳＤ（例えば端末電話番号や識別番号）は、型式情報１３８ｄおよび機番情報１３８ｅを組み合わせた情報であってもよい。
【００６９】
−第１演算手段−
第１演算手段Ｐａ４（図５参照）は、記憶部１３４の第４格納テーブルＴａ４（図９参照）が格納している起動日付情報１３８ｍの起動日付、起動開始日時情報１３８ｏの起動開始日付、起動停止日時情報１３８ｐの起動停止日付について起動停止日時から起動開始日時を差し引いた稼動時間１３８ｑを稼動期間（この例では稼動期間番号１３８ｎ）毎に機械識別情報ＳＤ（例えば端末電話番号や識別番号）単位で算出して第４格納テーブルＴａ４に格納する。
【００７０】
−第２演算手段−
第２演算手段Ｐａ５（図５参照）は、記憶部１３４の第４格納テーブルＴａ４（図９参照）が格納している稼動時間１３８ｑの稼動時間の前回メンテナンスから累計した累計経過時間１３８ｕを稼動期間（この例では稼動期間番号１３８ｎ）およびメンテナンス項目情報１３８ｓ毎に機械識別情報ＳＤ（例えば端末電話番号や識別番号）単位で算出して第７格納テーブルＴａ７（図１２参照）に格納する。
【００７１】
−メンテナンス項目情報抽出手段−
メンテナンス項目情報抽出手段Ｐａ６（図５参照）は、機械識別情報ＳＤ（例えば端末電話番号や識別番号）のメンテナンス項目情報１３８ｓのうち、累計経過時間１３８ｕ（図１２参照）が基準メンテナンス間隔１３８ｔ（図１１参照）よりも所定量だけ手前の基準メンテナンス間隔間近時期を超えたメンテナンス項目を示すメンテナンス項目情報１３８ｓを抽出するか、或いは／さらに、累計経過時間１３８ｕ（図１２参照）が基準メンテナンス間隔１３８ｔ（図１１参照）を超えたメンテナンス項目を示すメンテナンス項目情報１３８ｓを抽出する。
【００７２】
−メンテナンス項目情報送信制御手段−
メンテナンス項目情報送信制御手段Ｐａ７（図５参照）は、メンテナンス項目情報抽出手段Ｐａ６にて抽出したメンテナンス項目情報１３８ｓを機械識別情報ＳＤ（例えば端末電話番号や識別番号）と共に遠隔監視端末装置２００に送信する。
【００７３】
［遠隔監視端末装置］
第１実施形態に係る遠隔監視端末装置２００（図４参照）では、制御部２４０は、所定の稼動情報に基づいて遠隔サーバ１３０が抽出したメンテナンス項目情報１３８ｓを機械識別情報ＳＤ（例えば端末電話番号や識別番号）と共に遠隔サーバ１３０から受信し、受信したメンテナンス項目情報１３８ｓを表示部２９０に表示する構成とされている。そして、制御部２４０は、表示部２９０に表示したメンテナンス項目情報１３８ｓ、メンテナンス項目情報１３８ｓのメンテナンス項目に対して対策したことを示す対策済情報１３８ｘ（後述する図１４参照）、および、メンテナンス項目のメンテナンスを行った日時を示すメンテナンス日時情報１３８ｚ（図１２および後述する図１６参照）を機械識別情報ＳＤ（例えば端末電話番号や識別番号）と共に遠隔サーバ１３０に送信する構成とされている。ここで、メンテナンス日時情報１３８ｚは、入力操作を省略するという観点から、メンテナンス項目情報１３８ｓ、対策済情報１３８ｘおよびメンテナンス日時情報１３８ｚを送信するときの日時として自動的に取得することができる。なお、図１２において、メンテナンス日時情報１３８ｚの時刻は、図示を省略している。このことは後述する図１６についても同様である。
【００７４】
詳しくは、制御部２４０（図４参照）は、受信制御手段Ｐｂ１と、アラート出力制御手段Ｐｂ２と、入力受付手段Ｐｂ３と、送信制御手段Ｐｂ４とを備える構成とされている。
【００７５】
−受信制御手段−
受信制御手段Ｐｂ１は、遠隔サーバ１３０における制御部１３２のメンテナンス項目情報送信制御手段Ｐａ７にて遠隔サーバ１３０から遠隔監視端末装置２００に送信したメンテナンス項目情報１３８ｓを機械識別情報ＳＤ（例えば端末電話番号や識別番号）と共に受信する。
【００７６】
−アラート出力制御手段−
図１４は、農業機械１１０に設けられた操作パネル１８０を正面から視た状態を示す概念図である。
【００７７】
図１４に示すように、農業機械１１０は、運転台の正面（例えばハンドルの中央部）に設けられた操作パネル１８０（図４参照）を備えている。操作パネル１８０には、入力部２８０および表示部２９０が設けられている。入力部２８０（図４参照）は、制御部２４０の入力出系に電気的に接続されており、表示部２９０（図４参照）は、制御部２４０の出力系に電気的に接続されている。
【００７８】
詳しくは、入力部２８０は、操作スイッチ２８１（この例ではメニュースイッチ）を有している。表示部２９０は、農業機械１１０の各種メータ類２９１が表示可能とされている。
【００７９】
アラート出力制御手段Ｐｂ２（図４参照）は、受信制御手段Ｐｂ１にて受信したメンテナンス項目情報１３８ｓ（すなわち、累計経過時間１３８ｕが基準メンテナンス間隔間近時期を超えたか或いは／さらに基準メンテナンス間隔１３８ｔを超えたメンテナンス項目情報１３８ｓ）のメンテナンス項目に対してメンテナンスを行うべきことを知らせるアラート機能を有している。ここで、アラート機能は、アラート表示および／またはアラート発報を含んでいてもよい。アラート表示は、オペレータ（使用者）や所有者に視覚的に知らせる警報であり、文章で知らせるメッセージ表示であってもよいし、絵文字や図形等で知らせる簡略表示であってもよい。アラート表示が簡略表示である場合、所定の入力操作によりメッセージ表示を行うようになっていてもよい。何れにしても、アラート表示としては、点灯表示または点滅表示を例示できる。アラート発報は、オペレータや所有者に聴覚的に知らせる警報であり、メロディー音やブザー音、チャイム音等の音で知らせるアラート音であってもよいし、音声で知らせるアラート音声であってもよい。図１４に示す例では、アラート機能は、アラート表示２９２とされている。具体的には、図１４に示すアラート表示２９２は、「エンジンオイルを交換して下さい。」というメッセージ表示をポップアップさせた表示（ポップアップ表示）および点滅させた表示（点滅表示）の双方の表示とされている。なお、アラート機能は、累計経過時間１３８ｕが基準メンテナンス間隔間近時期を超えたときと基準メンテナンス間隔１３８ｔを超えたときとで、アラート表示および／またはアラート発報の内容を変更するようになっていてもよい。
【００８０】
−入力受付手段−
入力受付手段Ｐｂ３（図４参照）は、アラート出力制御手段Ｐｂ２にて実行しているアラート機能に対してオペレータや所有者による操作スイッチ２８１の入力操作により対策済情報１３８ｘまたは未対策情報１３８ｙを受け付ける。操作スイッチ２８１は、物理的な接点を有するスイッチ、所謂ハードウェアスイッチであってもよいし、例えば、表示部２９０にタッチ操作可能な表示パネル（所謂タッチパネル）を備えた表示装置を設け、該表示パネルにタッチ操作可能に表示したスイッチ、所謂ソフトウェアスイッチであってもよい。図１４に示す例では、表示部２９０にタッチパネルを備えた表示装置が設けられており、操作スイッチ２８１は、シフトウェアスイッチとされている。
【００８１】
詳しくは、入力受付手段Ｐｂ３は、メンテナンス項目情報１３８ｓのメンテナンス項目に対して対策したか否かを選択入力するための選択表示２９３を選択入力可能に表示部２９０に表示し、表示部２９０に表示した選択表示２９３のオペレータや所有者による選択操作により対策済情報１３８ｘまたは未対策情報１３８ｙを受け付ける。
【００８２】
具体的には、図１４に示す操作スイッチ２８１のタッチ操作は、表示切り替え操作とされており、表示部２９０に表示した操作スイッチ２８１がオペレータや所有者によりタッチ操作されると、入力受付手段Ｐｂ３は、「エンジンオイルを交換して下さい。」とのアラート表示２９２から、「エンジンオイル交換  ＹＥＳ  ＮＯ」との選択表示２９３のポップアップ表示に切り替える。なお、図１４に示す例では、対策済情報１３８ｘに対応する「ＹＥＳ」が選択されている状態を示している。
【００８３】
−送信制御手段−
送信制御手段Ｐｂ４は、入力受付手段Ｐｂ３にて操作スイッチ２８１の入力操作による対策済情報１３８ｘを受け付けたときに、表示部２９０に表示したメンテナンス項目情報１３８ｓ、対策済情報１３８ｘおよびメンテナンス日時情報１３８ｚを機械識別情報ＳＤ（例えば端末電話番号や識別番号）と共に遠隔サーバ１３０に送信する。
【００８４】
詳しくは、送信制御手段Ｐｂ４は、入力受付手段Ｐｂ３にてメンテナンス項目に対して対策したことを選択する第１選択操作（図１４に示す例では「エンジンオイル交換  ＹＥＳ」とのタッチ操作）により対策済情報１３８ｘを受け付けると、メンテナンス項目情報１３８ｓ（例えばＡ０１）、対策済情報１３８ｘおよびメンテナンス日時情報１３８ｚを機械識別情報ＳＤと共に遠隔サーバ１３０に送信する。また、送信制御手段Ｐｂ４は、入力受付手段Ｐｂ３にてメンテナンス項目に対して対策していないことを選択する第２選択操作（図１４に示す例では「エンジンオイル交換  ＮＯ」とのタッチ操作）によりメンテナンス項目情報１３８ｓのメンテナンス項目に対して対策していないことを示す未対策情報１３８ｙを受け付けると、再度、アラート出力制御手段Ｐｂ２を実行する。
【００８５】
（遠隔監視端末装置の制御動作）
次に、第１実施形態に係る遠隔監視端末装置２００の制御動作の処理例について以下に説明する。
【００８６】
図１５は、第１実施形態に係る遠隔監視端末装置２００による制御動作の一例を示すフローチャートである。なお、図１５に示す処理例では、図１４に示す操作パネル１８０を例にとって説明する。
【００８７】
図１５に示す処理例では、制御部２４０は、先ず、遠隔サーバ１３０（図１および図２参照）が抽出したメンテナンス項目情報１３８ｓ（図１０参照）を機械識別情報ＳＤ（例えば端末電話番号や識別番号）と共に遠隔サーバ１３０から受信する（ステップＳｂ１）。
【００８８】
次に、制御部２４０は、メンテナンス項目情報１３８ｓのメンテナンス項目に対する「エンジンオイルを交換して下さい。」とのアラート表示２９２（図１４参照）を行う（ステップＳｂ２）。
【００８９】
次に、制御部２４０は、操作スイッチ２８１（図１４参照）のタッチ操作を受け付けるまでステップＳｂ２〜Ｓｂ３の処理を繰り返し（ステップＳｂ３：Ｎｏ）、操作スイッチ２８１のタッチ操作を受け付けると（ステップＳｂ３：Ｙｅｓ）、「エンジンオイル交換  ＹＥＳ  ＮＯ」との選択表示２９３（図１４参照）を行う（ステップＳｂ４）。
【００９０】
次に、制御部２４０は、選択表示２９３のタッチ操作により対策済情報１３８ｘまたは未対策情報１３８ｙを受け付けるまでステップＳｂ４〜Ｓｂ５の処理を繰り返し（ステップＳｂ５：Ｎｏ）、対策済情報１３８ｘまたは未対策情報１３８ｙを受け付けると（ステップＳｂ５：Ｙｅｓ）、受け付けた情報が対策済情報１３８ｘであるか否かを判断する（ステップＳｂ６）。
【００９１】
次に、制御部２４０は、ステップＳｂ５で受け付けた情報が未対策情報１３８ｙである場合には（ステップＳｂ６：Ｎｏ）、ステップＳｂ２に移行する一方、ステップＳｂ５で受け付けた情報が対策済情報１３８ｘである場合には（ステップＳｂ６：Ｙｅｓ）、メンテナンス項目情報１３８ｓ、対策済情報１３８ｘおよびメンテナンス日時情報１３８ｚを機械識別情報ＳＤ（例えば端末電話番号や識別番号）と共に遠隔サーバ１３０に送信し（ステップＳｂ７）、処理動作を終了する。
【００９２】
（遠隔サーバの登録動作）
遠隔監視センター１２０（図１および図２参照）に設けられた遠隔サーバ１３０における制御部１３２（図５参照）は、第２受信制御手段Ｐａ８と、実施情報設定手段Ｐａ９と、登録制御手段Ｐａ１０とをさらに備える構成とされている。
【００９３】
−第２受信制御手段−
第２受信制御手段Ｐａ８は、遠隔サーバ１３０から送られてきたメンテナンス項目情報１３８ｓ、対策済情報１３８ｘおよびメンテナンス日時情報１３８ｚを機械識別情報ＳＤ（例えば端末電話番号や識別番号）と共に受信する。
【００９４】
−実施情報設定手段−
実施情報設定手段Ｐａ９は、第２受信制御手段Ｐａ８にて受信した稼動期間（例えば図１２に示す稼動期間番号１３８ｎの値が５，５）でのメンテナンス項目情報１３８ｓ（例えば図１２に示すＡ０１，Ｃ０１）に対する第７格納テーブルＴａ７の実施情報１３８ｖに「１」を設定して実施情報１３８ｖに対応する累計経過時間１３８ｕをリセットする。
【００９５】
−第２演算手段−
図１６は、機械識別情報ＳＤおよびメンテナンス項目情報１３８ｓ別に、メンテナンス日時情報１３８ｚ、メンテナンス時の累計経過時間１３８ｕおよびメンテナンス時の積算時間１３８ｆを登録するメンテナンス情報データベースＭＤＢの一例のデータ構造を示す模式図である。
【００９６】
第２演算手段Ｐａ５は、記憶部１３４の第４格納テーブルＴａ４（図９参照）が格納している現在の稼動期間（図示例では稼動期間番号１３８ｎの値が５）を累計起点として、実メンテナンス間隔であるメンテナンス時の累計経過時間１３８ｕ（図１６参照）を累計し、メンテナンス時の積算時間１３８ｆ（図１６参照）を積算する。
【００９７】
−登録制御手段−
図１６に示すように、登録制御手段Ｐａ１０は、第２演算手段Ｐａ５にて算出したメンテナンス時の累計経過時間１３８ｕおよびメンテナンス時の積算時間１３８ｆを、機械識別情報ＳＤ、メンテナンス項目情報１３８ｓおよびメンテナンス日時情報１３８ｚと共に記憶部１３４（図５参照）のメンテナンス情報データベースＭＤＢに登録する。
【００９８】
＜第２実施形態について＞
以下、第２実施形態に係る遠隔サーバ１３０および遠隔監視端末装置２００において、第１実施形態に係る遠隔サーバ１３０および遠隔監視端末装置２００とは異なる点について説明し、共通する点については説明を省略する。なお、第２実施形態に係る遠隔サーバ１３０および遠隔監視端末装置２００では、第１実施形態に係る遠隔サーバ１３０および遠隔監視端末装置２００と同一符号を付している。
【００９９】
［遠隔監視端末装置］
第２実施形態に係る遠隔監視端末装置２００では、制御部２４０は、メンテナンス項目情報１３８ｓを記憶部２６０に格納し、格納したメンテナンス項目情報１３８ｓを所定の稼動情報に基づいて抽出し、抽出したメンテナンス項目情報１３８ｓを表示部２９０に表示する構成とされている。そして、制御部２４０は、表示部２９０に表示したメンテナンス項目情報１３８ｓの表示と連動して、メンテナンス項目情報１３８ｓ、対策済情報１３８ｘおよびメンテナンス日時情報１３８ｚを機械識別情報ＳＤ（例えば端末電話番号や識別番号）と共に遠隔サーバ１３０に送信する構成とされている。
【０１００】
詳しくは、第２実施形態の制御部２４０は、遠隔サーバ１３０における制御部１３２の制御構成における算出構成および設定構成と同様の制御構成を有している。ここで、算出構成は、既述のとおり、起動開始日時および起動停止日時に基づいて、起動開始から起動停止までの稼動時間１３８ｑを、メンテナンス項目情報１３８ｓ毎に機械識別情報ＳＤ（例えば端末電話番号や識別番号）単位で算出し、算出した稼動時間１３８ｑの前回メンテナンスから累計した累計経過時間１３８ｕをメンテナンス項目情報１３８ｓ毎に機械識別情報ＳＤ単位で算出する構成である。また、設定構成は、既述のとおり、メンテナンス項目情報１３８ｓ毎に前回のメンテナンスから次回のメンテナンスまでの基準メンテナンス間隔１３８ｔ（時間）を農業機械１１０の種類（具体的には型式情報１３８ｄ）毎に設定する構成である。
【０１０１】
図１７は、第２実施形態に係る遠隔監視端末装置２００の概略構成を示すブロック図である。
【０１０２】
図１７に示すように、第２実施形態の制御部２４０は、図４に示す第１実施形態の制御部２４０において、受信制御手段Ｐｂ１に代えて、図５に示す遠隔サーバ１３０の制御部１３２における基準メンテナンス間隔設定手段Ｐａ２、格納制御手段Ｐａ３、第１演算手段Ｐａ４、第２演算手段Ｐａ５およびメンテナンス項目情報抽出手段Ｐａ６を設けたものである。
【０１０３】
図６から図１２にそれぞれ示す第１格納テーブルＴａ１から第７格納テーブルＴａ７は、遠隔監視端末装置２００における記憶部２６０にも格納されており、遠隔サーバ１３０および遠隔監視端末装置２００において一方の第１格納テーブルＴａ１から第７格納テーブルＴａ７の何れかのデータが新規登録または更新されると、他方の第１格納テーブルＴａ１から第７格納テーブルＴａ７の対応するデータが自動的に新規登録または更新されるようになっている。
【０１０４】
−基準メンテナンス間隔設定手段−
基準メンテナンス間隔設定手段Ｐａ２（図１７参照）は、メンテナンス項目情報１３８ｓに対する基準メンテナンス間隔１３８ｔ（図１１参照）を農業機械１１０の種類（具体的には型式情報１３８ｄ）毎に記憶部２６０の第６格納テーブルＴａ６（図１１参照）に格納（設定）する。
【０１０５】
−格納制御手段−
格納制御手段Ｐａ３（図１７参照）は、起動日付情報１３８ｍ、起動開始日時情報１３８ｏ、起動停止日時情報１３８ｐ（図９参照）を、起動開始から起動停止までの稼動期間（この例では稼動期間番号１３８ｎ）毎に機械識別情報ＳＤ（例えば端末電話番号や識別番号）単位で記憶部２６０の第４格納テーブルＴａ４（図９参照）に格納する。
【０１０６】
−第１演算手段−
第１演算手段Ｐａ４（図１７参照）は、記憶部２６０の第４格納テーブルＴａ４（図９参照）が格納している起動日付情報１３８ｍの起動日付、起動開始日時情報１３８ｏの起動開始日付、起動停止日時情報１３８ｐの起動停止日付について起動停止日時から起動開始日時を差し引いた稼動時間１３８ｑを稼動期間（この例では稼動期間番号１３８ｎ）毎に機械識別情報ＳＤ（例えば端末電話番号や識別番号）単位で算出して第４格納テーブルＴａ４に格納する。
【０１０７】
−第２演算手段−
第２演算手段Ｐａ５（図１７参照）は、記憶部２６０の第４格納テーブルＴａ４（図９参照）が格納している稼動時間１３８ｑの稼動時間の前回メンテナンスから累計した累計経過時間１３８ｕを稼動期間（この例では稼動期間番号１３８ｎ）およびメンテナンス項目情報１３８ｓ毎に機械識別情報ＳＤ（例えば端末電話番号や識別番号）単位で算出して第７格納テーブルＴａ７（図１２参照）に格納する。
【０１０８】
−メンテナンス項目情報抽出手段−
メンテナンス項目情報抽出手段Ｐａ６（図１７参照）は、機械識別情報ＳＤ（例えば端末電話番号や識別番号）のメンテナンス項目情報１３８ｓのうち、累計経過時間１３８ｕ（図１２参照）が基準メンテナンス間隔１３８ｔ（図１１参照）よりも所定量だけ手前の基準メンテナンス間隔間近時期を超えたメンテナンス項目を示すメンテナンス項目情報１３８ｓを抽出するか、或いは／さらに、累計経過時間１３８ｕ（図１２参照）が基準メンテナンス間隔１３８ｔ（図１１参照）を超えたメンテナンス項目を示すメンテナンス項目情報１３８ｓを抽出する。
【０１０９】
−アラート出力制御手段−
アラート出力制御手段Ｐｂ２（図１７参照）は、メンテナンス項目情報抽出手段Ｐａ６にて抽出したメンテナンス項目情報１３８ｓ（すなわち、累計経過時間１３８ｕが基準メンテナンス間隔間近時期を超えたか或いは／さらに基準メンテナンス間隔１３８ｔを超えたメンテナンス項目情報１３８ｓ）のメンテナンス項目に対してメンテナンスを行うべきことを知らせるアラート機能（図１４参照）を有している。
【０１１０】
−送信制御手段−
送信制御手段Ｐｂ４（図１７参照）は、入力受付手段Ｐｂ３にて操作スイッチ２８１の入力操作による対策済情報１３８ｘを受け付けたときに、この例では、表示部２９０に表示した対策済情報１３８ｘの受け付けに連動して、表示部２９０に表示したメンテナンス項目情報１３８ｓ、対策済情報１３８ｘおよびメンテナンス日時情報１３８ｚを機械識別情報ＳＤ（例えば端末電話番号や識別番号）と共に遠隔サーバ１３０に送信する。
【０１１１】
（遠隔監視端末装置の制御動作）
第２実施形態に係る遠隔監視端末装置２００による処理例では、図１５に示す第１実施形態に係る処理例において、制御部２４０は、ステップＳｂ１で遠隔サーバ１３０が抽出したメンテナンス項目情報１３８ｓを機械識別情報ＳＤと共に遠隔サーバ１３０から受信する処理に代えて、メンテナンス項目情報１３８ｓを抽出する処理（図１１および図１２参照）を行う。これ以降は、図１５に示す第１実施形態に係る処理例と同じであり、以降の説明を省略する。
【０１１２】
［本実施の形態について］
以上説明したように、第１実施形態では、農業機械１１０は、所定の稼動情報に基づいて遠隔サーバ１３０が抽出した農業機械１１０に対するメンテナンス項目を示すメンテナンス項目情報１３８ｓを受信し、受信したメンテナンス項目情報１３８ｓを表示し、表示したメンテナンス項目情報１３８ｓ、メンテナンス項目情報１３８ｓのメンテナンス項目に対して対策したことを示す対策済情報１３８ｘ、および、メンテナンス項目のメンテナンスを行った日時を示すメンテナンス日時情報１３８ｚを固有の機械識別情報ＳＤと共に遠隔サーバ１３０に送信する。第２実施形態では、農業機械１１０は、農業機械１１０に対するメンテナンス項目を示すメンテナンス項目情報１３８ｓを格納し、格納したメンテナンス項目情報１３８ｓを所定の稼動情報に基づいて抽出し、抽出したメンテナンス項目情報１３８ｓを表示し、表示したメンテナンス項目情報１３８ｓの表示と連動して、メンテナンス項目情報１３８ｓ、メンテナンス項目情報１３８ｓのメンテナンス項目に対して対策したことを示す対策済情報１３８ｘ、および、メンテナンス項目のメンテナンスを行った日時を示すメンテナンス日時情報１３８ｚを機械識別情報ＳＤと共に遠隔サーバ１３０に送信する。
【０１１３】
こうすることで、農業機械１１０からメンテナンス項目情報１３８ｓのメンテナンス項目に対する対策済情報１３８ｘを遠隔サーバ１３０に登録することができ、従って、オペレータや所有者が農業機械１１０に対してメンテナンスを行ったときのセルフメンテナンスの記録をサーバ側（遠隔サーバ１３０）に登録することが可能となる。例えば、本実施の形態のように、農業機械１１０における表示部２９０にタッチ操作可能な表示パネル（所謂タッチパネル）を備えた表示装置を設け、メンテナンス項目に対して対策したか否かを選択入力するための選択表示２９３を選択入力可能に表示部２９０に表示し、オペレータや所有者が表示部２９０に表示した選択表示２９３を選択することで、選択された選択表示２９３に応じた、メンテナンス項目に対して対策済みか否かのメンテナンス記録をメンテナンス日時情報１３８ｚと共に遠隔サーバ１３０に簡単な操作で容易に登録することができる。
【０１１４】
しかも、セルフメンテナンスの記録を遠隔サーバ１３０に登録することが可能となることで、遠隔サーバ１３０にて農業機械１１０のメンテナンス情報１３８ｗを共有することができる。
【０１１５】
図１８は、遠隔サーバ１３０におけるメンテナンス情報１３８ｗを固定端末機１６０および／または携帯端末機１７０に表示した状態を示す概念図である。
【０１１６】
図１８に示すように、セルフメンテナンスの記録を遠隔サーバ１３０に登録することが可能となることで、遠隔サーバ１３０にて農業機械１１０のメンテナンス情報１３８ｗを共有することができる上、オペレータや所有者によるメンテナンス履歴の手書き管理の手間を省くことが可能となる。
【０１１７】
また、遠隔サーバ１３０にて農業機械１１０のメンテナンス情報１３８ｗを共有することで、図１９に示すような作用効果を得ることができる。
【０１１８】
図１９は、遠隔サーバ１３０におけるメンテナンス情報１３８ｗを共有する状態を示す概念図である。
【０１１９】
図１９に示すように、遠隔サーバ１３０においてメンテナンス情報１３８ｗを共有することができることにより、メーカーにより発行される農業機械１１０のカルテ情報１３９ａに、メンテナンスを行う今後の計画であるメンテナンス計画１３９ｂを反映させることができる。
【０１２０】
また、第２実施形態では、農業機械１１０に対するメンテナンス項目を示すメンテナンス項目情報１３８ｓを遠隔監視端末装置２００に格納することで、遠隔監視端末装置２００が設けられた農業機械１１０においても、農業機械１１０のメンテナンス管理を行うことが可能となる。
【０１２１】
さらに、第１実施形態および第２実施形態では、メンテナンス項目情報１３８ｓのメンテナンス項目に対してメンテナンスを行うべきことを知らせるアラート機能を有していることで、メンテナンス項目情報１３８ｓのメンテナンス項目に対してメンテナンスを行う必要があることをオペレータや所有者に確実に注意喚起することができ、これにより、メンテナンス項目に対するメンテナンス忘れを効果的に防止することができる。
【０１２２】
（他の実施の形態について）
本実施の形態に係る遠隔監視システム１００は、コンバイン、耕耘機や田植機等の走行作業機械に適用したが、それに限定されるものではなく、トラクター、ショベルカー、ホイルローダやキャリヤ等の建設作業機械といった走行作業機や、プレジャーボート、漁船といった船舶にも好適に適用することができる。
【０１２３】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１２４】
１００    遠隔監視システム
１１０    農業機械
１２０    遠隔監視センター
１３０    遠隔サーバ
１３１    通信部
１３２    制御部
１３３    処理部
１３４    記憶部
１３５    表示部
１３８ａ  オーナーＩＤ
１３８ｂ  契約開始日情報
１３８ｃ  契約終了日情報
１３８ｄ  型式情報
１３８ｅ  機番情報
１３８ｆ  積算時間
１３８ｇ  オーナー名／会社名情報
１３８ｈ  グループ名情報
１３８ｉ  メンテナンス担当者情報
１３８ｊ  カテゴリ情報
１３８ｋ  商品区分情報
１３８ｌ  シリーズ名情報
１３８ｍ  起動日付情報
１３８ｎ  稼動期間番号
１３８ｏ  起動開始日時情報
１３８ｐ  起動停止日時情報
１３８ｑ  稼動時間
１３８ｒ  メンテナンス項目名情報
１３８ｓ  メンテナンス項目情報
１３８ｔ  基準メンテナンス間隔
１３８ｕ  累計経過時間
１３８ｖ  実施情報
１３８ｗ  メンテナンス情報
１３８ｘ  対策済情報
１３８ｙ  未対策情報
１３８ｚ  メンテナンス日時情報
１３９ａ  カルテ情報
１３９ｂ  メンテナンス計画
１４０    通信網
１５０    ネットワーク
１６０    固定端末機
１６１    制御部
１６２    表示部
１７０    携帯端末機
１８０    操作パネル
２００    遠隔監視端末装置
２１０    通信部
２２０    電源制御部
２３１    ＧＰＳセンサ
２３２    位置検出部
２３３    情報記憶部
２４０    制御部
２４１    起動情報送信制御部
２５０    処理部
２６０    記憶部
２８０    入力部
２８１    操作スイッチ
２９０    表示部
２９１    各種メータ類
２９２    アラート表示
２９３    選択表示
ＭＤＢ    メンテナンス情報データベース
Ｐａ１    第１受信制御手段
Ｐａ２    基準メンテナンス間隔設定手段
Ｐａ３    格納制御手段
Ｐａ４    第１演算手段
Ｐａ５    第２演算手段
Ｐａ６    メンテナンス項目情報抽出手段
Ｐａ７    メンテナンス項目情報送信制御手段
Ｐａ８    第２受信制御手段
Ｐａ９    実施情報設定手段
Ｐａ１０  登録制御手段
Ｐｂ１    受信制御手段
Ｐｂ２    アラート出力制御手段
Ｐｂ３    入力受付手段
Ｐｂ４    送信制御手段
ＳＤ      機械識別情報
Ｔ        接続端子
Ｔａ１    第１格納テーブル
Ｔａ２    第２格納テーブル
Ｔａ３    第３格納テーブル
Ｔａ４    第４格納テーブル
Ｔａ５    第５格納テーブル
Ｔａ６    第６格納テーブル
Ｔａ７    第７格納テーブル
【図１】
2016076122.tif 000003
【図２】
2016076122.tif 000004
【図３】
2016076122.tif 000005
【図４】
2016076122.tif 000006
【図５】
2016076122.tif 000007
【図６】
2016076122.tif 000008
【図７】
2016076122.tif 000009
【図８】
2016076122.tif 000010
【図９】
2016076122.tif 000011
【図１０】
2016076122.tif 000012
【図１１】
2016076122.tif 000013
【図１２】
2016076122.tif 000014
【図１３】
2016076122.tif 000015
【図１４】
2016076122.tif 000016
【図１５】
2016076122.tif 000017
【図１６】
2016076122.tif 000018
【図１７】
2016076122.tif 000019
【図１８】
2016076122.tif 000020
【図１９】
2016076122.tif 000021